(57)【要約】【課題】情報を多く含ませることができ、見易さを向上させることができる歯科材料収納用箱体を提供する。【解決手段】歯科材料を収納する箱である歯科材料収納用箱体（１０）であって、歯科材料を保持すべき部位（２３ｆ、２３ｇ）を有する一方が開口した箱状の保持基体（２１）と、保持基体の開口を覆うように配置される一方が開口した箱状のフタ箱（３１）と、保持基体及びフタ箱の少なくとも一部を覆う外装材（１１）と、を備え、保持基体の外表面の面積より、フタ箱の外表面の面積が大きく形成されており、フタ箱の外表面には収納される歯科材料の使用に関する説明が記載された説明部（３２、３３）が配置されている、【選択図】図２
2015173742.tif 000002
【特許請求の範囲】
【請求項１】
歯科材料を収納する箱である歯科材料収納用箱体であって、
前記歯科材料を保持すべき部位を有する一方が開口した箱状の保持基体と、
前記保持基体の前記開口を覆うように配置される一方が開口した箱状のフタ箱と、
前記保持基体及び前記フタ箱の少なくとも一部を覆う外装材と、を備え、
前記保持基体の外表面の面積より、前記フタ箱の外表面の面積が大きく形成されており、前記フタ箱の前記外表面には収納される前記歯科材料の使用に関する説明が記載された説明部が配置されている、歯科材料収納用箱体。
【請求項２】
前記フタ箱は、天板及び該天板の縁から垂下する壁板を有して形成され、前記説明部は少なくとも前記天板に配置されている、請求項１に記載の歯科材料収納用箱体。
【請求項３】
前記フタ箱は前記保持基体の前記開口に挿入されて組み合わされる請求項１又は２に記載の歯科材料収納用箱体。
【発明の詳細な説明】
【技術分野】
【０００１】
本発明は、歯科医院や歯科技工所で使用する歯科材料を収納するための箱体である歯科材料収納用箱体に関する。
【背景技術】
【０００２】
歯科治療用の接着剤、セメント等のような歯科医院で使用される歯科材料や、陶材、レジン材料等のような歯科技工所で使用される歯科材料は、使用時における一連の手順やそのときの条件が詳細に定められている。
さらにこのような歯科材料は複数種類の材料が付属されていることも多く、その使用順序や条件が症例によって異なる等、使用方法が煩雑である。
【０００３】
そして、通常は歯科材料の使用に関する詳細な情報は説明書として製品に添付される。ところが上記のように使用方法が煩雑であるためその情報量が多く、歯科材料を収納している箱よりも大きくなることから、畳まれて添付されている状態であった。そのため、歯科医師等が歯科材料を使用する際に、実際に説明書を開いて内容を参照して使用方法を確認しながら作業を行うことには困難があった。
【０００４】
これに対して従来の歯科材料の製品には、説明書の他に使用の手順が概略図と説明文によって分かりやすく解説された「説明用カード」が添付されていることが多かった。歯科医師はこの説明用カードを参照しつつ説明書に記載のあった事項を思い出しながら作業を行うことができた。
【０００５】
しかしながら、実際にはこの説明用カードは歯科医院等で紛失されてしまうことが多く、また、歯科材料を収納する箱に１枚ずつ説明用カードを含ませるとコストがかかるという問題があった。
【０００６】
これに対して特許文献１には、歯科材料を収納する箱体の上面開口部に設けられた二つのサイドフラップに説明を記載する技術が開示されている。これによれば説明用カードの内容がサイドフラップに記載されているので、当該説明用カードの紛失を防止することができるとともに、製造の観点からも説明用カードを別途添付する必要がないという利点があった。
【先行技術文献】
【特許文献】
【０００７】
【特許文献１】実用新案登録第３１１１１９１号公報
【発明の概要】
【発明が解決しようとする課題】
【０００８】
特許文献１に記載の考案によれば、上記した問題を解決することができる。しかしながら、サイドフラップへの記載であることから、歯科医師等が見ながら作業するときに見難さや取りまわしの不便を感じることがあった。また、サイドフラップの面積は限られるので記載できる情報量が不足することもあった。
【０００９】
そこで本発明は上記問題点に鑑み、情報を多く含ませることができ、見易さを向上させることができる歯科材料収納用箱体を提供することを課題とする。
【課題を解決するための手段】
【００１０】
以下、本発明について説明する。ここでは分かり易さのため、図面に付した参照符号を括弧書きで併せて記載するが、本発明はこれに限定されるものではない。
【００１１】
請求項１に記載の発明は、歯科材料を収納する箱である歯科材料収納用箱体（１０）であって、歯科材料を保持すべき部位（２３ｆ、２３ｇ）を有する一方が開口した箱状の保持基体（２１）と、保持基体の開口を覆うように配置される一方が開口した箱状のフタ箱（３１）と、保持基体及びフタ箱の少なくとも一部を覆う外装材（１１）と、を備え、保持基体の外表面の面積より、フタ箱の外表面の面積が大きく形成されており、フタ箱の外表面には収納される歯科材料の使用に関する説明が記載された説明部（３２、３３）が配置されている、歯科材料収納用箱体である。
【００１２】
請求項２に記載の発明は、請求項１に記載の歯科材料収納用箱体（１０）において、フタ箱（３１）は、天板（３１ａ）及び該天板の縁から垂下する壁板（３１ｂ〜３１ｅ）を有して形成され、説明部（３２）は少なくとも天板に配置されている。
【００１３】
請求項３に記載の発明は、請求項１又は２に記載の歯科材料収納用箱体（１０）において、フタ箱（３１）は保持基体（２１）の開口に挿入されて組み合わされる。
【発明の効果】
【００１４】
本発明の歯科材料収納用箱体によれば、フタ箱が大きく形成され、ここに情報を多く含ませることができるとともに、見易さを向上させることができる。
【図面の簡単な説明】
【００１５】
【図１】歯科材料収納用箱体１０の外観斜視図である。
【図２】歯科材料収納用箱体１０の分解斜視図である
【図３】箱本体２０の分解斜視図である。
【図４】図４（ａ）が保持基体２１の斜視図、図４（ｂ）が保持基体２１の断面図である。
【図５】図５（ａ）がフタ箱３１の斜視図、図５（ｂ）がフタ箱３１の他の斜視図である。
【図６】図６（ａ）がフタ箱３１の斜視図であり説明部３２、３３の位置を併せて表した図、図６（ｂ）がフタ箱３１の他の斜視図であり説明部３２、３３の位置を併せて表した図である。
【図７】箱本体２０の斜視図で説明部３２、３３の位置を併せて表した図である。
【発明を実施するための形態】
【００１６】
本発明の上記した作用及び利得は、次に説明する形態から明らかにされる。以下、本発明を図面に示す形態に基づき説明する。ただし本発明はこれら形態に限定されるものではない。
【００１７】
図１は１つの形態を説明する図で、歯科材料収納用箱体１０の外観斜視図である。図２には、歯科材料収納用箱体１０において、外装材１１を箱本体２０から分離した分解斜視図である。図１、図２からわかるように歯科材料収納用箱体１０は、外装材１１及び箱本体２０を有している。
【００１８】
外装材１１は箱本体２０をさらに覆うように形成されたカバーとして機能する部材である。従って外装材１１は箱本体２０の少なくとも一部を覆うことができる中空の部材であり、本形態では矩形筒状である。すなわち、本形態では筒状である外装材１１の開口した端部から箱本体２０を外装材１１の内側に抜き差しすることで、外装材１１からの箱本体２０の離脱、及び外装材１１への箱本体２０の挿入が可能となる。
外装材１１の形態はこのように箱本体２０の一部又は全部を覆うことができれば良いので必ずしも本形態のように両端が開放された筒状である必要はない。例えば一方の端部が開放された有底の筒状であってもよく、開け閉めができる底を具備する箱状であってもよい。
また、本形態のように一部に開口１２が設けられて箱本体２０に記載されている事項の一部が見える態様とすることもできる。
【００１９】
このように外装材１１は、箱本体２０を覆うことにより該箱本体２０を汚れ等から保護する。また、後述するように本発明では箱本体２０の表面には、内包される歯科材料に関する説明文や説明図が記載された説明部３２、３３（図７参照）が設けられるので、外装材１１によりその少なくとも一部を隠蔽し、外装材１１の装着時における外観の向上を図ることができる。
すなわち、外装材１１の外側表面は歯科材料収納用箱体１０の外観に大きな影響を与えることから、購買意欲を高める装飾的な表示をする装飾部を設けることができる。上記したように本発明では箱本体２０側に説明部３２、３３が配置されるので、外装材１１の外側表面は歯科材料商品としての陳列や商品カタログへの記載等の場合においての装飾的な表示に大きな割合を割くことができる。
【００２０】
箱本体２０は歯科材料を収納する部材であり、保持基体２１及びフタ箱３１を有している。図３には保持基体２１とフタ箱３１とを分離して表した分解斜視図を示した。図３では収納される容器１、２も併せて示した。歯科材料はこの容器１、２の中に納められている。
【００２１】
保持基体２１は、歯科材料が収納された容器１、２が保持される部材である。図４（ａ）には本形態における保持基体２１の斜視図、図４（ｂ）には図４（ａ）にＩＶｂ−ＩＶｂで示した線に沿って保持基体２１を切断したときの断面図を表した。
これら図からわかるように、保持基体２１は保持箱２２及び保持部材２３を有している。
保持箱２２は、底板２２ａを有し、該底板２２ａの縁から立設する壁板２２ｂ、２２ｃ、２２ｄ、２２ｅを有している。これにより底板２２ａ及び壁板２２ｂ、２２ｃ、２２ｄ、２２ｅにより囲まれた容積を有する箱状が形成されている。底板２２ａとは反対側は、壁板２２ｂ、２２ｃ、２２ｄ、２２ｅにより縁取られた開口部とされている。
【００２２】
保持部材２３は、保持箱２２の内側に配置され、容器１、２を安定して保持するための部材である。具体的に保持部材２３は保持板２３ａを有し、その外周端部からは保持箱２２の底板２２ａに向けて垂下する板状の脚板２３ｂ、２３ｃ、２３ｄ、２３ｅが設けられている（脚板２３ｄは図４（ａ）、図４（ｂ）の性質上、図面に表れないが、脚板２３ｂに対向する位置に配置されている。）。これにより図４（ｂ）からわかるように、保持板２３ａが保持箱２２の底板２２ａから所定の間隔で浮いて支持される。
また、保持板２３ａには孔２３ｆ、２３ｇが設けられている。この孔２３ｆ、２３ｇはここに挿入されるべき容器１、２に合わせた大きさで形成されている。
【００２３】
保持基体２１の上記のような構成により、図３に表したように、容器１、２を孔２３ｆ、２３ｇに挿入して容器１、２を安定して保持することができる。
【００２４】
図３に戻ってフタ箱３１について説明する。フタ箱３１は保持基体２１に組み合わされ、保持基体２１のうち容器１、２が保持された側から保持基体２１の一方の面を容器１、２も含めて覆う箱状の部材である。図５（ａ）にはフタ箱３１のうち天板３１ａを手前にした斜視図、図５（ｂ）には図５（ａ）を逆さにした斜視図をそれぞれ表した。
フタ箱３１は、天板３１ａを有し、該天板３１ａの縁から垂下する壁板３１ｂ、３１ｃ、３１ｄ、３１ｅを有している。これにより天板３１ａ及び壁板３１ｂ、３１ｃ、３１ｄ、３１ｅにより囲まれた容積を有する箱状が形成されている。天板３１ａとは反対側は、壁板３１ｂ、３１ｃ、３１ｄ、３１ｅにより縁取られた開口部とされている。
【００２５】
ここで、フタ箱３１の外側表面には図６に薄墨部で示したように、収納される歯科材料の使用に関する説明部３２、３３が配置されている。説明部３２は天板３１ａの外側表面に配置された説明部である。一方、説明部３３は、壁部３１ｂ、３１ｃ、３１ｄ、３１ｅの外側表面に配置された説明部である。説明部３２、３３には収納される歯科材料の説明が文章や図で表示されている。ここで、「使用に関する説明」としては例えば、収納される歯科材料の適用範囲、使用条件、使用手順等を挙げることができる。使用手順ではその過程毎に順を追って説明図や説明文を用いて表示されていてもよい。
表示するための手段は印刷やシール貼付等のように特に限定されることはない。
【００２６】
説明部３２は、ここに記載された内容を参照する上で最も見易い部位であることから、フタ箱３１には、少なくとも説明部３２は設けられていることが好ましい。一方、説明部３３についても広い面が外側に向けて表れているので十分に見易く、さらにはより多くの情報をここに記載することができる観点から、設けられることが好ましい。その際には必ずしも全ての壁部３１ｂ、３１ｃ、３１ｄ、３１ｅに設けられることはなく、必要に応じて１つ又は複数の壁部にのみ説明部３３が設けられてもよい。
【００２７】
図７には、説明部３２、３３も併せて箱本体２０を表した。ここで、箱本体２０では、保持基体２１における外側表面の面積よりもフタ箱３１における外側表面の面積の方が大きく形成される。これにより図７からもわかるように説明部３２、３３を大きくとることができ、より多くの情報（説明）を含めることが可能となる。または情報量が従来と同じであっても、説明文や説明図を大きく記載することができるので、見易さを向上させることが可能となる。
【００２８】
また、フタ箱３１が保持基体２１に重ねられる方向である高さ方向（図７参照）に直交する方向である、幅方向、及び奥行き方向については、保持基体２１の方がフタ箱３１よりも大きく形成されていることが好ましい。従って、本形態では、保持基体２１の壁板２２ｂ、２２ｃ、２２ｄ、２２ｅにより縁取られた開口部の内側に、フタ箱３１の壁板３１ｂ、３１ｃ、３１ｄ、３１ｅにより縁取られた開口部側が挿入されるように組み合わされる。
これにより、保持基体２１が歯科材料を保持している土台であると認識されやすく、フタ箱との区別がし易くなり取り扱いの誤りを防止することができる。特に、本発明ではその性質上、フタ箱側大きく形成し、保持基体側を相対的に小さくすることで、より大きな効果を奏する（説明部を配置する部位を大きくできる。）ので、箱本体に対するフタ箱の占める割合が大きくなることから、上記の構成とすれば保持基体とフタ箱との区別を明確に認識できるようになる。
【００２９】
本発明に係る歯科材料収納用箱体では説明文や説明図がフタ箱に配置されているため、従来の説明書よりも認識しやすく、さらには説明用カードのように歯科医院等で紛失されてしまうことが少ない。
【符号の説明】
【００３０】
１０  歯科材料収納用箱体
１１  外装材
２０  箱本体
２１  保持基体
２２  保持箱
２２ａ  底板
２２ｂ〜２２ｅ  壁板
２３  保持部材
２３ａ  保持板
２３ｂ〜２３ｅ  脚板
３１  フタ箱
３１ａ  天板
３１ｂ〜３１ｅ  壁板
３２  説明部
３３  説明部
【図１】
2015173742.tif 000003
【図２】
2015173742.tif 000004
【図３】
2015173742.tif 000005
【図４】
2015173742.tif 000006
【図５】
2015173742.tif 000007
【図６】
2015173742.tif 000008
【図７】
2015173742.tif 000009